(57)【要約】【課題】  消臭、殺菌効果を具えるごみ袋を提供することを課題とする。【解決手段】  光透過性を有するポリエチレンによって形成される第１面と、二酸化チタンを含むポリエチレンによって形成される第２面とによって袋体を構成する。【選択図】  図１
0003131643.tif 000002
【実用新案登録請求の範囲】
【請求項１】
光透過性を有するポリエチレンによって形成される第１面と、
二酸化チタンを含むポリエチレンによって形成される第２面とによって袋体を構成することを特徴とするごみ袋。
【請求項２】
前記第１面と第２面が対称に形成されることを特徴とする請求項１に記載のごみ袋。
【請求項３】
前記ごみ袋の底端を、上下の第１接合線と第２接合線とにおいて接合することを特徴とする請求項１に記載のごみ袋。
【請求項４】
前記第１面、または第２面には、一方の側縁に沿って、上端から下方に結束バンドを設けることを特徴とする請求項１に記載のごみ袋。
【請求項５】
前記結束バンドは、一端を貼着し、他端を自由端とすることを特徴とする請求項４に記載のごみ袋。
【請求項６】
前記袋体の底端縁部が円弧を描くことを特徴とする請求項２に記載のごみ袋。
【考案の詳細な説明】
【技術分野】
【０００１】
この考案は消臭、殺菌効果を有するごみ袋に関する。
【背景技術】
【０００２】
ごみ問題は、環境保護に関わる重要な一環であって、日常生活においても、または工業生産においても、かなりの量のごみが発生する。発生するごみの量を減らすように、またごみは分類して処理するようにと、政策で、また民間の環境保護に携わる人々の提唱によってごみ対策が行われているが、ごみの発生は避けられないのが現状である。
【０００３】
また、ごみをまとめて捨てる場合、以前は商品を購買した際に該商品を収納するビニール袋を使用していた。しかしながら、ビニール袋の使用を制限する政策、及び購入した商品を入れるビニール袋の供給先が不安定（例えば一般の人はいつ買い物をする予定を立てているわけではなく、いくつビニール袋を入手するか予定を立てているわけでもない）であることから、専用のごみ袋を使用するようになった。
【０００４】
従来のごみ袋の袋体はＰＥ（ポリエチレン）からなり、透明か、或いは略透明の面を有する。但し、従来のごみ袋は、次に掲げる問題を有する。
１．単純にＰＥから形成されたごみ袋は、ごみを収納する作用しか有しておらず、その他環境保護のための積極的な効果を有しない。
２．従来のごみ袋は底部の密接度が不足しているため、孔が開きやすく、ごみから滴りでる液体が外部に流出して悪臭を放つ。
３．従来のごみ袋は、ごみ袋を閉じる場合、上辺の端と端とを結ぶ方法しかない。このため、ごみの収容量が多すぎると、結んで閉じるための長さが取りずらくなり、完全に袋を閉じることができなくなる。
【考案の開示】
【考案が解決しようとする課題】
【０００５】
この考案は、消臭、殺菌効果を具えるごみ袋を提供することを課題とする。
【０００６】
また、この考案は、袋体の底部が補強されたごみ袋を提供することを課題とする。
【０００７】
また、この考案は、袋体の開口を容易に、かつ確実に閉じることのできるごみ袋を提供することを課題とする。
【０００８】
また、袋体を構成する両面の面積に比して多めにごみを収納することができ、かつ該両面によって囲まれて形成される袋体内部の収納空間が、ほぼ均一に形成されるごみ袋を提供することを課題とする。
【課題を解決するための手段】
【０００９】
そこで本考案者は、従来の技術に鑑み鋭意研究を重ねた結果、光透過性を有するポリエチレンによって形成される第１面と、二酸化チタンを含むポリエチレンによって形成される第２面とによって袋体を構成するごみ袋の構造と、その製造方法によって課題を解決できる点に着眼し、係る知見に基づき本考案を完成させた。
以下、この考案について具体的に説明する。
【００１０】
請求項１に記載するごみ袋は、光透過性を有するポリエチレンによって形成される第１面と、
二酸化チタンを含むポリエチレンによって形成される第２面とによって袋体を構成する。
【００１１】
請求項２に記載するごみ袋は、請求項１における第１面と第２面が対称に形成される。
【００１２】
請求項３に記載するごみ袋は、請求項１におけるごみ袋の底端を、上下の第１接合線と第２接合線とにおいて接合する。
【００１３】
請求項４に記載するごみ袋は、請求項１における第１面、または第２面には、一方の側縁に沿って、上端から下方に結束バンドを設ける。
【００１４】
請求項５に記載するごみ袋は、請求項４における結束バンドは、一端を貼着し、他端を自由端とする。
【００１５】
請求項６に記載するごみ袋は、請求項２における袋体の底端縁部が円弧を描く。
【考案の効果】
【００１６】
この考案によるごみ袋は、消臭、殺菌効果を具えるとともに、袋体の底部が補強されているため、収納したごみ袋から異臭が発生したり、ごみから滴りでる水分が袋の底部から漏れて悪臭を放ったりすることがなく、しかも袋体の開口を容易に、かつ確実に閉じることができるため、衛生的で、取り扱いやすいという利点を有する。
【考案を実施するための最良の形態】
【００１７】
係る構成のごみ袋について、その構造と特徴を詳述するために具体的な実施例を挙げ、以下に説明する。
【実施例】
【００１８】
図１、２に開示するように、この考案によるごみ袋１は、２枚の基材を貼着して袋体を構成する。即ち、該袋体は基材を対称に形成した第１面１１と第２面１２とを貼着して構成する。
【００１９】
第１面１１は、ポリエチレンなどの光透過性を有する材料によってなる。よって、ごみ袋１に収納した内容物を外部から確認することができ、ごみを分類する場合に便利である。
【００２０】
また、ポリエチレンは高い収縮性を有し、容易に湾曲したり、変形したりする。よって、ごみ袋の原料に適する。
【００２１】
第２面は、二酸化チタン（TiO２）を含むポリエチレンを原料とする。
【００２２】
二酸化チタンは波長が４００ｎｍの紫外線に反応して光触媒作用を起こす（二酸化チタンのバンドギャップは約３．ｌｅＶであって、４００ｎｍの波長は約３．ｌｅＶのエネルギーを提供する）。即ち、二酸化チタンが光エネルギーを吸収すると電子（ｅ−）及び正孔（ｈ＋）が生成される。該正孔は強力な酸化力を具え、物質表面に吸着した生体分子による汚染物を直接酸化して分解するか、或いは物質表面に吸着する水分子を酸化して水酸基（・ＯＨ）を生成する。よって殺菌作用を有するようになる。
【００２３】
第１面１１と第２面１２は、底端縁部が円弧を描き、かつ上下の第１接合線１３と第２接合線１４とにおいて二重に接合する。
【００２４】
この考案によるごみ袋１は、第１面１１と第２面１２とを対称に形成するため、形成される内部空間にごみなどの被収納物を収納した場合、第１面１１側と第２面側１２とのいずれにも平均して収納することができる。また、底端縁部が円弧を描くため、ごみ袋１の被収納物の収納量を増加させることができる。
さらに、第１接合線１３と第２接合線とにおいて二重に接合するため、底端縁部の密接度と強度を高め、ごみ袋１の内部から液体が漏れることを効率よく防ぐことができる。
【００２５】
また、図１、２に開示するように、第１面１１、または第２面には、一方の側縁に沿って、上端から下方に結束バンド１５を設ける。結束バンド１５は一端を第１面、または第２面に貼着し、他端を自由端とする。結束バンド１５は、図３から６に開示するように、ごみ袋１の開口部を閉じて縛るために用いる。
【００２６】
上述する構造のごみ袋を製造する場合、第１面と第２面の基材を搬送手段で溶着設備に送り、溶着手段で溶着し、かつ冷却の過程で押圧して平坦にし、次いで切断設備に送り、軟質のパッドで形成した袋体を押圧してさらに平坦にして工具で切断する。さらに巻き取り作業で巻きとって製品を完成させる。
【００２７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００２８】
【図１】この考案によるごみ袋を示した斜視図である。
【図２】図１に開示するごみ袋の正面図である。
【図３】この考案における結束バンドを用いて袋体の開口を閉じる第一の操作を示した説明図である。
【図４】この考案における結束バンドを用いて袋体の開口を閉じる第二の操作を示した説明図である。
【図５】この考案における結束バンドを用いて袋体の開口を閉じる第三の操作を示した説明図である。
【図６】この考案における結束バンドを用いて袋体の開口を閉じる第四の操作を示した説明図である。
【図７】この考案によるごみ袋の開口を結束バンドで閉じた状態を示した説明図である。
【符号の説明】
【００２９】
１                  ごみ袋
１１                第１袋面
１２                第２袋面
１３                第１接合面
１４                第２接合面
１５                結束バンド
１６                底端縁部
【図１】
0003131643.tif 000003
【図２】
0003131643.tif 000004
【図３】
0003131643.tif 000005
【図４】
0003131643.tif 000006
【図５】
0003131643.tif 000007
【図６】
0003131643.tif 000008
【図７】
0003131643.tif 000009